(57)【要約】【課題】本発明は、第三者が所有する携帯端末のうちの計測者が意図する要件を満足する携帯端末に対して、収集タスクを実行させることを目的とする。【解決手段】本願発明は、計測を希望するセンサ種別の記載された計測タスクを受信すると、携帯端末の有するセンサに関する情報が格納されているセンサ情報レコードからセンサ種別の適合するセンサを有する携帯端末を抽出し、携帯端末にセンサ種別のセンサを用いた計測を行わせるための計測タスクの情報を、端末抽出部の抽出した携帯端末へ送信する計測タスク情報送信手順と、計測タスクの情報によって計測した計測結果を携帯端末から受信して蓄積し、蓄積した計測結果を収集して計測タスクに対する回答を作成し、計測タスクの依頼者に送信する回答手順と、を順に有する。【選択図】図１
2013218436.tif 000002
【特許請求の範囲】
【請求項１】
計測を希望するセンサ種別の記載された計測タスクを受信すると、携帯端末に備わるセンサに関する情報が格納されているセンサ情報レコードからセンサ種別の適合する携帯端末を抽出する端末抽出部と、
携帯端末に前記センサ種別のセンサを用いた計測を行わせるための計測タスクの情報を、前記端末抽出部の抽出した携帯端末へ送信する計測タスク情報送信部と、
前記計測タスクの情報によって計測した計測結果を収集して前記計測タスクに対する回答を作成し、前記計測タスクの依頼者に送信する回答部と、
を備えるデータ収集管理サーバ。
【請求項２】
前記計測タスクは、センサを用いる環境を定める計測条件をさらに含み、
前記計測タスク情報送信部は、前記計測タスクの情報として前記計測条件をさらに送信し、
前記回答部は、前記計測タスクの情報によって携帯端末から送信された前記計測条件をみたす計測に合意する旨を受信すると、当該合意の得られた携帯端末からの計測結果を蓄積することを特徴とする請求項１に記載のデータ収集管理サーバ。
【請求項３】
計測を希望するセンサ種別の記載された計測タスクを受信すると、携帯端末に備わるセンサに関する情報が格納されているセンサ情報レコードからセンサ種別の適合するセンサを有する携帯端末を抽出し、携帯端末に前記センサ種別のセンサを用いた計測を行わせるための計測タスクの情報を、抽出した携帯端末へ送信する計測タスク情報送信手順と、
前記計測タスクの情報によって計測した計測結果を携帯端末から受信して蓄積し、蓄積した計測結果を収集して前記計測タスクに対する回答を作成し、前記計測タスクの依頼者に送信する回答手順と、
を順に有するデータ収集管理方法。
【請求項４】
前記計測タスクは、センサを用いる環境を定める計測条件をさらに含み、
前記計測タスク情報送信手順において、前記計測タスクの情報として前記計測条件をさらに送信し、
前記回答手順において、前記計測タスクの情報によって携帯端末から送信された前記計測条件をみたす計測に合意する旨を受信すると、当該合意の得られた携帯端末からの計測結果を蓄積することを特徴とする請求項３に記載のデータ収集管理方法。
【請求項５】
センサ管理部がセンサ位置及びセンサ状態並びにバッテリー状態を含むセンサ情報を取得し、センサ情報送信部が前記センサ情報を送信するセンサ情報送信手順と、
タスク解析実行部が計測タスク情報に従ってセンサの計測結果を収集し、センサの計測結果を送信する計測結果送信手順と、
を順にコンピュータに実行させることを特徴とする計測プログラム。
【請求項６】
前記計測結果送信手順において、タスク解析実行部がセンサの計測条件を整え、センサの計測結果が計測条件に適合するか否かを判定し、当該判定結果を送信することを特徴とする請求項５に記載の計測プログラム。
【発明の詳細な説明】
【技術分野】
【０００１】
本発明は、データ収集管理方法に関し、特に、個人情報（住所、氏名、年齢、性別等の静的な情報、趣味趣向などプロファイル情報、健康／身体状態や行動履歴など、個人に関するあらゆる電子化情報）および企業などの法人／団体が保有する電子化された業務情報など、その保有者および管理者が存在するデータを、ネットワークで流通させる仕組みを提供するデータ収集管理方法に関する発明である。本発明方法が対象とする個人および法人が生成もしくは収集し、所有権および管理権を有すると考えられるデータを総称して個人管理データと呼ぶことにする。
【背景技術】
【０００２】
ネットワーク上に存在する個人情報は、Ａｍａｚｏｎ（登録商標）（クレジットカード情報、同サイトでの購買履歴など）、Ｇｏｏｇｌｅ（登録商標）（個人プロファイル、メール、スケジュール、検索履歴など）などの特定のサービスプロバイダによるサービス、もしくは、スマートフォンや個人パソコン上で実行される特定のアプリケーション（写真、ＧＰＳログ、歩数計ログ、健康管理アプリケーションでの体重、体脂肪率推移など）と結びついており、蓄積されたデータの一部をアーカイブにして、利用者の個人に提供するインタフェースを設けているケースも存在するが、異なるサービスやアプリケーション間で相互に利用できるものではなく、個人の行動履歴データ、企業の業務データ等には第三者から見て価値のある情報が含まれているのにも係らず、それらをデータの管理者が主体で相互流通させる仕組みは現時点では存在しない。
【０００３】
個人管理データには、第三者から見て価値のある情報が含まれているケースは多い。個人の行動履歴のうち、あらゆる商品の購入履歴を統計処理した情報は、企業による製品開発やマーケティングに非常に有益である。また、運送会社などが自社のために蓄積している配達、運行の記録は、実際の道路の状況や渋滞状況などの情報が含まれる。これまで、特定の企業が特定のサービスを個人等に提供することで、このような情報を収集したデータアーカイブ、およびそれを処理解析したものを第三者に有償で提供する形態は存在し、一例としてクックパッド（登録商標）は、個人に料理レシピの公開と検索サービスを提供する一方、収集されたレシピや検索ログを集計し、食品業界に販売を行っている（ただし、第三者への情報提供など、情報の流通に関する部分は手順が存在するのみで、特定の技術要素は確認できない。）
【０００４】
一方で、ｉＰｈｏｎｅ（登録商標）やＡｎｄｒｏｉｄ（登録商標）などのスマートフォンを含む携帯端末には、ＧＰＳや加速度計、磁気、照度や温度などのセンサデバイスが装備されているものがあり、通信機能付きの実世界データ収集装置として利用することが可能である。これら携帯端末が収集した計測データを多数サーバに集めて処理を行うことで、広範囲に多数のセンサを配置した計測を行うことができる（例えば、非特許文献１から３参照。）。
【０００５】
従来の計測は、センサ付き携帯電話や第三者のセンサを用いて集合的なセンシングを行うことを提案しているものの、あくまでセンサ付き携帯電話のオーナ側から協力するというスタンスであって、系全体を管理するものではない。携帯端末はその所有者が持ち、計測条件が所有者任せであるため、計測おいて最も重要なセンサの特性や精度の保証を行うことが困難である。そこで、従来の方法では、多数の端末から収集したデータに統計処理を施し、測定結果の補正を施すなど、計測精度に事後の妥協をせざるを得なかった。本来、センサを用いた実世界データの計測では、計測条件を整え、精度を事前に想定することが一般的であり、従来の方法では計測者の意図する実世界データの効率的かつタイムリー（即応的）な収集タスクが実行できないことになる。
【先行技術文献】
【非特許文献】
【０００６】
【非特許文献１】Ｎ．Ｋａｗａｇｕｃｈｉ  ｅｔ．ａｌ．，  ＨＡＳＣ  Ｃｈａｌｌｅｎｇｅ：  Ｇａｔｈｅｒｉｎｇ  Ｌａｒｇｅ  Ｓｃａｌｅ  Ｈｕｍａｎ  Ａｃｔｉｖｉｔｙ  Ｃｏｒｐｕｓ  ｆｏｒ  ｔｈｅ  Ｒｅａｌ−Ｗｏｒｌｄ  Ａｃｔｉｖｉｔｙ  Ｕｎｄｅｒｓｔａｎｄｉｎｇｓ，  Ｐｒｏｃ  ｏｆ  ＡＣＭ  ＡＨ  ２０１１，  ｐｐ．２７：１−２７：５，  ２０１１．
【非特許文献２】Ｊ．  Ｂｕｒｋｅ，  ｅｔ．ａｌ，  “Ｐａｒｔｉｃｉｐａｔｏｒｙ  Ｓｅｎｓｉｎｇ，”  Ｗｏｒｌｄ  Ｓｅｎｓｏｒ  Ｗｅｂ  （ＷＳＷ  ’０６），  Ｏｃｔｏｂｅｒ  ３１，  ２００６．
【非特許文献３】Ｓａｓａｎｋ  Ｒｅｄｄｙ，  ｅｔ．ａｌ，  “Ｂｉｋｅｔａｓｔｉｃ：  Ｓｅｎｓｉｎｇ  ａｎｄ  Ｍａｐｐｉｎｇ  ｆｏｒ  Ｂｅｔｔｅｒ  Ｂｉｋｉｎｇ，  ”  ＣＨＩ  ２０１０．
【発明の概要】
【発明が解決しようとする課題】
【０００７】
そこで、本発明は、第三者が所有する携帯端末のうちの計測者が意図する要件を満足する携帯端末に対して、収集タスクを実行させることを目的とする。
【課題を解決するための手段】
【０００８】
本願発明のデータ収集管理サーバは、計測を希望するセンサ種別の記載された計測タスクを受信すると、携帯端末に備わるセンサに関する情報が格納されているセンサ情報レコードからセンサ種別の適合する携帯端末を抽出する端末抽出部と、携帯端末に前記センサ種別のセンサを用いた計測を行わせるための計測タスクの情報を、前記端末抽出部の抽出した携帯端末へ送信する計測タスク情報送信部と、前記計測タスクの情報によって計測した計測結果を収集して前記計測タスクに対する回答を作成し、前記計測タスクの依頼者に送信する回答部と、を備える。
【０００９】
本願発明のデータ収集管理サーバでは、前記計測タスクは、前記センサを用いる環境を定める計測条件をさらに含み、前記計測タスク情報送信部は、前記計測タスクの情報として前記計測条件をさらに送信し、前記回答部は、前記計測タスクの情報によって携帯端末から送信された前記計測条件をみたす計測に合意する旨を受信すると、当該合意の得られた携帯端末からの計測結果を蓄積してもよい。
【００１０】
本願発明のデータ収集管理方法は、計測を希望するセンサ種別の記載された計測タスクを受信すると、携帯端末に備わるセンサに関する情報が格納されているセンサ情報レコードからセンサ種別の適合するセンサを有する携帯端末を抽出し、携帯端末に前記センサ種別のセンサを用いた計測を行わせるための計測タスクの情報を、抽出した携帯端末へ送信する計測タスク情報送信手順と、前記計測タスクの情報によって計測した計測結果を携帯端末から受信して蓄積し、蓄積した計測結果を収集して前記計測タスクに対する回答を作成し、前記計測タスクの依頼者に送信する回答手順と、を順に有する。
【００１１】
本願発明のデータ収集管理方法では、前記計測タスクは、前記センサを用いる環境を定める計測条件をさらに含み、前記計測タスク情報送信手順において、前記計測タスクの情報として前記計測条件をさらに送信し、前記回答手順において、前記計測タスクの情報によって携帯端末から送信された前記計測条件をみたす計測に合意する旨を受信すると、当該合意の得られた携帯端末からの計測結果を蓄積してもよい。
【００１２】
本願発明の計測プログラムは、センサ管理部がセンサ位置及びセンサ状態並びにバッテリー状態を含むセンサ情報を取得し、センサ情報送信部が前記センサ情報を送信するセンサ情報送信手順と、タスク解析実行部が計測タスク情報に従ってセンサの計測結果を収集し、センサの計測結果を送信する計測結果送信手順と、を順にコンピュータに実行させる。
【００１３】
本願発明の計測プログラムは、前記計測結果送信手順において、タスク解析実行部がセンサの計測条件を整え、センサの計測結果が計測条件に適合するか否かを判定し、当該判定結果を送信してもよい。
【発明の効果】
【００１４】
本発明によれば、本発明は、第三者が所有する携帯端末のうちの計測者が意図する要件を満足する携帯端末に対して、収集タスクを実行させることができる。
【図面の簡単な説明】
【００１５】
【図１】実施形態１に係るデータ収集管理システムの概略図を示す。
【図２】センサ端末装置２０の一例を示す。
【図３】センサ管理レコードの一例を示す。
【図４】データ収集管理サーバ８０がセンサに関する情報をキャリアサーバから取得する場合の説明図を示す。
【図５】データ収集管理方法の一例を示すシーケンス図である。
【図６】計測タスクの一例を示す。
【図７】タスク管理レコードの一例を示す。
【図８】センサ端末装置２０の他の形態の一例を示す。
【発明を実施するための形態】
【００１６】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１７】
本実施形態に係る発明は、スマートフォンなど、種々のセンサ、カメラなどを装備した携帯端末の普及により、同端末を実世界データ（センサによって取得される計測データや、カメラ等からの映像、画像情報など）の収集装置とすることで、（人が持ち歩き）任意の場所に移動可能、もしくは、多数のセンサとして利用する応用例が存在する。このような応用例は参加型のセンシングなどと呼ばれている。従来このような応用例では、携帯端末側が主導でデータを収集し、センタに送信、センタ側で集約された多数の携帯端末からのデータを解析する方法がとられていたが、この方法では携帯端末側の状況等が把握できず、このような方法で何らかの計測を行いたい計測者の意図通りの計測とデータ収集ができない問題があった。本発明は携帯端末の状況を管理し、計測者の要求条件に合った計測を実現するための技術を提案する。
【００１８】
図１に、本実施形態に係るデータ収集管理システムの一例を示す。本実施形態に係るデータ収集管理システムは、情報収集者端末であるユーザＢの使用する計測実施者サーバ１０と、携帯端末であるユーザＡの使用するセンサ端末装置２０と、データ収集管理サーバ８０と、を備える。データ収集管理システムは、ユーザＡ１、Ａ２、・・・Ａｎの複数のセンサ端末装置２０を備えるが、図１では簡単のためユーザＡの１台のみを記載している。センサ端末装置２０は、センサを備える携帯電話やスマートフォンなどの携帯端末であり、センサノードとして機能する。データ収集管理サーバ８０は、計測実施者サーバ１０とセンサ端末装置２０を仲介する。
【００１９】
データ収集管理サーバ８０は、端末抽出部と、計測タスク情報送信部と、回答部と、を備える。端末抽出部は、計測要求受付部８１と情報処理部８４とセンサノードＤＢ部８３からなる。計測タスク情報送信部は、センサノード通信部８２と情報処理部８４とセンサノードＤＢ部８３からなる。回答部は、センサノードＤＢ部８３と情報処理部８４と回答送信部８５からなる。
【００２０】
センサ端末装置２０は、データ収集管理サーバ８０側からのコンタクトが可能になるように、計測を行うアプリケーションプログラム及びデータ収集管理サーバ８０と通信を行うアプリケーションプログラムを予めインストールし、データ収集管理サーバ８０へ登録する。この登録以降、センサ端末装置２０は、センサ位置、センサ状態及びバッテリー状態を含むセンサ情報を、データ収集管理サーバ８０に対して定期的に報告する。
【００２１】
図２に、センサ端末装置２０の一例を示す。センサ端末装置２０は、センサ２１と、センサ管理部２２と、センサ情報送信部２３と、タスク情報受信部２４と、タスク解析実行部２５と、計測結果送信部２６と、を備える。センサ２１は、例えば、カメラ、マイク、温度計、照度計、加速時計、磁気センサ、ＧＰＳである。センサ端末装置２０に備わるセンサ２１の数は任意である。アプリケーションプログラムは、センサ情報送信手順と、計測結果送信手順と、をコンピュータに順に実行させるための計測プログラムである。
【００２２】
センサ情報送信手順では、センサ管理部２２及びセンサ情報送信部２３が以下のように動作する。センサ管理部２２は、センサ２１の監視を行う。センサ管理部２２は、センサ２１が稼動中か停止中かを監視し、ＧＰＳの出力を用いてセンサ２１の位置を監視する。センサ情報送信部２３は、センサ管理部２２の監視結果をデータ収集管理サーバ８０へ送信する。このように、データ収集管理サーバ８０は、センサを配備して使える状態にあるか、電池の残量はあるか、センサがどこに位置しているのか、などのセンサに関する情報を継続的に収集する。センサノード通信部８２は、管理対象となるセンサ端末装置２０と通信を行い、登録や情報のやり取りを行う。センサノードＤＢ部８３は、センサ端末装置２０の状態を保持し、定期的に更新する。
【００２３】
図３に、センサ管理レコードの一例を示す。センサ管理レコードは、センサ種別、センサ状態、バッテリー残量、通信方法を含む。センサ種別は、例えば、カメラ、マイク、温度計、照度計、加速時計、磁気センサ、ＧＰＳである。センサ種別は、その属性として、センサの精度や性質を含む。センサ状態は、センサに備わる各機能や各性能の状態であり、例えば、センサの機能又は性能の１つが利用可能、利用不可能、移動中、停止中又は稼動中であることを表す。センサ状態は、対象となるセンサ自身の監視機能を用いて取得してもよいが、対象となるセンサとは異なるセンサを用いて取得してもよい。例えば、対象となるセンサがカメラである場合に、カメラと共通の筐体に収められているＧＰＳや加速度計を用いて、カメラが移動中であることを取得してもよい。バッテリー残量は、センサを駆動するバッテリーの残量である。通信方法は、センサ端末装置２０への通知方法やセンサ端末装置２０からの計測結果の受け取り方法であり、例えば、直接の通信チャネル、メール、ＳＭＳである。
【００２４】
データ収集管理サーバ８０は、センサ管理レコードを用いて、センサ端末装置２０において計測タスクが実行可能かどうかの判断を行うことができる。計測タスクが実行可能かどうかの判断は、センサ端末装置２０がさらに行ってもよい。そもそも計測タスクを満足できない端末には、計測タスクを送信しないということもできる。
【００２５】
センサ端末装置２０のタスク解析実行部２５は、さらに、計測タスク実行中の状態監視を行ってもよい。これにより、計測タスク実行中に定められた計測位置から端末が移動した場合や、不要な動き（加速度計でわかる）が有った場合は、タスク解析実行部２５は計測タスクが満足されなかったと判断して、結果とともに、計測タスクの条件違反をデータ収集管理サーバ８０へ通知する。
【００２６】
データ収集管理サーバ８０は、図４に示すように、端末情報収集部８６をさらに備え、センサに関する情報を、センサ端末装置２０の通信管理を行っているキャリアサーバ５０から取得してもよい。キャリアサーバ５０は、通信目的のために、センサ端末装置２０の位置や健全性などのセンサ端末装置２０の情報を継続的に収集しているサーバである。端末情報収集部８６がキャリアサーバ５０に問い合わせることで、情報処理部８４は、センサ端末装置２０の位置や状態を把握することができる。キャリアサーバ５０の情報はセンサ端末装置２０のユーザが改変することはできないため、計測タスクの条件を偽ることができないメリットがある。
【００２７】
図５に、本実施形態に係るデータ収集管理方法のシーケンスの一例を示す。本実施形態に係るデータ収集管理方法は、計測タスク情報送信手順と、回答手順と、を順に有する。計測タスク情報送信手順では、ステップＳ１０１〜ステップＳ１０３を実行する。回答手順では、ステップＳ１０４〜ステップＳ１０９を実行する。
【００２８】
計測要求受付部８１は、計測実施者サーバ１０から送信された、計測を希望する旨の要求とその計測内容が記載された計測タスクを受け付ける（Ｓ１０１）。図６に、計測タスクの一例を示す。計測タスクには、センサ端末装置２０における計測内容が記載される。計測タスクは、例えば、センサ種別、計測条件、取引条件、センサ数を含む。計測条件は、計測地域、計測時間又は計測方法などのセンサ端末装置２０に要求する要件である。計測時間には、計測開始時刻や計測終了時刻などの時刻も含む。計測条件に計測位置が含まれている場合には、計測方法として、ＧＰＳで絶対座標を取得し、条件を判断する旨が通知される。計測条件に保持（計測時の状態）が含まれている場合には、計測方法として、加速度センサで保持位置（縦横など）と動きを検知して、静止かどうかを判断する旨が通知される。計測方法は、センサ端末装置２０をどのように保持（縦に手に持つ、車に配置する、外気にさらすなど）する、又は、所有者に正確な計測位置までの移動を促すなどのセンサ端末装置２０の所有者に要求する要件が含まれていてもよい。計測方法に外気にさらす旨が含まれている場合、計測方法として、加速度センサで保持位置（縦横など）と動きを検知して、静止かどうかを判断する旨が通知される。取引条件は、例えば、計測完了時にユーザＡに与えられる対価などのインセンティブである。
【００２９】
計測要求受部８１が計測タスクを計測実施者サーバ１０から受信すると、計測タスク情報送信手順を実行する。計測タスク情報送信手順では、端末抽出部が計測タスク情報を送信するセンサ端末装置２０を抽出し、計測タスク情報送信部が抽出したセンサ端末装置２０へ計測タスク情報を送信する。例えば、データ収集管理システムは、以下のように動作する。
【００３０】
情報処理部８４は、受信した計測タスクをセンサノードＤＢ部８３のタスク管理レコードに登録する。図７に、タスク管理レコードの一例を示す。この時点でのタスク管理レコードには、計測タスクに記載されていた事項、すなわち、タスクＩＤ、センサ種別、計測条件及び取引条件が登録される。
【００３１】
計測タスク情報送信部を構成する情報処理部８４は、計測タスクに必要なセンサ種別と計測条件から、必要とされるバッテリー容量を計算する。例えば、センサの使用電力特性（消費電力）および当該センサの計測時間から、必要とされるバッテリー容量を計算する。必要とされるバッテリー容量が求まると、情報処理部８４は、センサノードＤＢ部８３を参照し、要求された計測タスクに適合するセンサを装備し、必要となるバッテリー容量が残っているセンサ端末装置２０の中から、計測タスク情報で要求されているセンサ位置に近いセンサを選択する（Ｓ１０２）。
【００３２】
そして、計測タスク情報送信部を構成するセンサノード通信部８２は、選択されたセンサ端末装置２０（複数）に対し、各センサ端末装置２０に適した通信方法を用いて、計測タスクの内容が記載された計測タスク情報を送信する（Ｓ１０３）。送信先のセンサ端末装置２０は、センサノードＤＢ部８３のタスク管理レコードに登録される。このセンサ端末装置２０の選択と送信の作業は、計測タスクに指定された必要となるセンサ数が得られるまで繰り返す。
【００３３】
回答手順では、回答部が計測タスクの情報によって計測した計測結果を収集して計測タスクに対する回答を作成し、計測タスクの依頼者である計測実施者サーバ１０に送信する。具体的には、データ収集管理システムは、以下のように動作する。
センサ端末装置２０は、受信した計測タスク情報を表示する。ユーザＡが計測条件に同意する場合、センサ端末装置２０は、計測条件に従って計測位置や要件を満足した後（Ｓ１０４）、データ収集管理サーバ８０に計測の同意を報告し（Ｓ１０５）、同時に計測を開始する（Ｓ１０６）。
【００３４】
回答部を構成するセンサノード通信部８２が当該同意を受信すると、回答部を構成する情報処理部８４は、各センサ端末装置２０から同意が得られたか否かをセンサノードＤＢ部８３のタスク管理レコードに記録する（Ｓ１０８）。同意の得られなかったセンサ端末装置２０がある場合、情報処理部８４は、計測タスクに指定された必要となるセンサ数が得られるように、タスク管理レコードに登録されていないセンサ端末装置２０のなかから適切な端末を選び出し、センサノード通信部８２が当該センサ端末装置２０に向けて計測タスク情報を送信する。計測タスク情報には、センサ種別、計測収集方法及び取引条件が含まれる。計測収集方法には、計測条件のうちの各センサ端末装置２０側で整える必要のある条件が記載される。
【００３５】
センサ端末装置２０は、計測タスク情報に従って計測を行い、データ収集管理サーバ８０に計測結果と計測条件を送信する計測結果送信手順を実行する。このとき、タスク情報受信部２４が計測タスク情報を受信し、タスク解析実行部２５が計測タスク情報を解析し、センサ種別に一致するセンサ２１の計測条件を整える。例えば、計測収集方法に計測位置が含まれている場合、タスク解析実行部２５は、正確な計測位置までの移動を促すよう表示部に指示する。計測収集方法に計測時間が含まれている場合、タスク解析実行部２５は、その時間にセンサ２１を動作させる。タスク解析実行部２５は、計測収集方法に記載された計測条件が満たされたか否かを判定し、センサ２１の計測結果を収集する。そして、計測結果送信部２６は、タスク解析実行部２５の計測結果と計測条件と位置情報を、計測収集期限時刻までに、データ収集管理サーバ８０に送信する。
【００３６】
回答部を構成するセンサノード通信部８２が計測結果を受信すると（Ｓ１０７）、回答部を構成する情報処理部８４は、受信した計測条件が計測タスクで指定された計測条件を満たしているか否かを判定する。例えば、計測収集期限時刻に間に合っているかを検査する。計測条件を満足していれば、取引条件に従い、センサ端末装置２０にインセンティブと交換可能な電子署名されたチケットを送信するとともに、タスク管理レコードに計測済みである旨を登録して計測結果をセンサノードＤＢ部８３に蓄積する（Ｓ１０９）。このとき、情報処理部８４は、計測タスクが実行されたかどうかのチェックを行う。例えば、センサ端末装置２０から計測結果が返って来た際に、計測時の状態などが併記されており、その内容と計測タスクにおける計測条件を照合する。そして、計測条件を満たさない計測結果を排除し、計測条件を満たす計測結果に対してインセンティブを与える。
【００３７】
回答部を構成する情報処理部８４は、センサノードＤＢ部８３のタスク管理レコードを参照して、同意済みのセンサ端末装置２０からの計測結果が全部そろったか否かを判定し、そろった段階で、センサノードＤＢ部８３に蓄積されている計測結果を集めて回答を作成する（Ｓ１０９）。そして、回答部を構成する回答送信部８５が、作成した回答を計測実施者サーバ１０へ送信する。
【００３８】
以上で一連の作業は終了する。
本実施形態に係るデータ収集管理システムは、計測者であるユーザＢの視点での管理された計測を行うために、データ収集管理サーバ８０を配置している。計測タスクに記載された情報をもとに、必要とされるセンサ端末装置２０の要件を求め、適合するセンサ端末装置２０を予め選択した後に、計測タスクを実行させる。そして、センサ端末装置２０の所有者の許可、所有者への指示（お願い）を行い、インセンティブの交換をサポートしている。これによって、計測者が必要としている計測タスクを、時間を限って実現できる仕組みを提供することができる。
【００３９】
図８に、センサ端末装置２０の他の形態の一例を示す。センサ端末装置２０は、携帯電話やスマートフォンなどの携帯端末に限定されず、センサ２１を管理するデータを収集するサーバであってもよい。例えば、センサ端末装置２０は、部屋ごとに温度センサが設置されているビルディングにおいて、各温度センサを管理するサーバである。この場合、複数のセンサ２１は、センサ端末装置２０外に配置され、センサ端末装置２０のセンサ管理部２２と各センサ２１とのデータの送受信は、通信ネットワークを通じて行う。
【産業上の利用可能性】
【００４０】
本発明は情報通信産業に適用することができる。
【符号の説明】
【００４１】
１０：計測実施者サーバ
２０：センサ端末装置
２１：センサ
２２：センサ管理部
２３：センサ情報送信部
２４：タスク情報受信部
２５：タスク解析実行部
２６：計測結果送信部
５０：キャリアサーバ
８０：データ収集管理サーバ
８１：計測要求受付部
８２：センサノード通信部
８３：センサノードＤＢ部
８４：情報処理部
８５：回答送信部
８６：端末情報収集部
【図１】
2013218436.tif 000003
【図２】
2013218436.tif 000004
【図３】
2013218436.tif 000005
【図４】
2013218436.tif 000006
【図５】
2013218436.tif 000007
【図６】
2013218436.tif 000008
【図７】
2013218436.tif 000009
【図８】
2013218436.tif 000010